(57)【要約】      （修正有）【課題】一般的なサングラスや眼鏡と外観上の相違が無いうえ、必要な時にフロントフレームを跳ね上げることができ、フロントフレームの交換も容易に行うことができる居眠り防止用眼鏡を提供する。【解決手段】左右一対のテンプル４と、テンプルが連結されたブローバー３と、ブローバー中央部でヒンジ連結し、かつ、左右レンズが装着された着脱可能なフロントフレーム２とを含んで成る眼鏡１において、フロントフレームがブローバー中央部を支点に上下に跳ね上げ可能とした一方、テンプルの少なくとも一方には、傾きを検出するための傾斜検出手段と、警報を発する警報手段と、警報手段に電力を供給するための電源部と、警報の有効或いは無効を切り替えるための切換手段とを内包し、傾斜検出手段が眼鏡の前方が下を向く方向に所定角度傾斜したときに、警報手段から警報を発するようにした。【選択図】図１
0003227691.tif 000002
【実用新案登録請求の範囲】
【請求項１】
左右一対のテンプルと、前記テンプルが連結されたブローバーと、前記ブローバー中央部でヒンジ連結され、かつ、左右レンズが装着された着脱可能なフロントフレームとを含んで成る眼鏡であって、
前記フロントフレームがブローバー中央部を支点に上下に跳ね上げ可能である一方、
テンプルの少なくとも一方には、傾きを検出するための傾斜検出手段と、警報を発する警報手段と、前記警報手段に電力を供給するための電源部と、警報の有効或いは無効を切り換えるための切換手段とが内包され、
前記傾斜検出手段が前記眼鏡の前方が下を向く方向に所定角度傾斜したときに、警報手段から警報を発することを特徴とする、居眠り防止用眼鏡。
【請求項２】
前記フロントフレームと前記ブローバーとは、フロントフレームの中央部に溝部と開口部を設けて一体に形成されたヒンジ部が、ブローバーの軸部に着脱可能にヒンジ連結されていることを特徴とする、請求項１に記載の居眠り防止用眼鏡。
【考案の詳細な説明】
【技術分野】
【０００１】
本考案は、居眠り防止機能を有し、フロントフレームを跳ね上げることができる居眠り防止用眼鏡に関するものである。
【背景技術】
【０００２】
昨今、自動車の運転中の居眠りによる事故が後を絶たない。このような状況において、運転中や作業中の居眠りを防止するために、居眠りしていることを検出して報知するための装置が知られている。
【０００３】
例えば従来、眼鏡のテンプルに装着して、頭部が前傾したことをリードスイッチによって検知することで警報を発する眼鏡の技術が公開されている（特許文献１参照）。
【０００４】
しかし、この技術では、居眠り防止装置が装着されていることが外見上から分かりやすく、外見を損なうという問題があった。また、サングラスや老眼鏡のように、レンズを必要としない状況において、眼鏡を外してしまうと、居眠り防止装置としての目的を果たせないという問題もあった。
【先行技術文献】
【特許文献】
【０００５】
【特許文献１】特開昭５９−１４０１３２号公報
【考案の概要】
【考案が解決しようとする課題】
【０００６】
本考案は、上記の如き問題に鑑みて為されたものであり、その目的とするところは、一般的なサングラスや眼鏡と外観上の相違が無いうえ、必要な時にフロントフレームを跳ね上げることができ、フロントフレームの交換も容易に行うことができる居眠り防止用眼鏡を提供することにある。
【課題を解決するための手段】
【０００７】
本考案者が上記課題を解決するために採用した手段は次のとおりである。
【０００８】
即ち、本考案は、左右一対のテンプルと、前記テンプルが連結されたブローバーと、前記ブローバー中央部でヒンジ連結し、かつ、左右レンズが装着された着脱可能なフロントフレームとを含んで成る眼鏡において、前記フロントフレームがブローバー中央部を支点に上下に跳ね上げ可能とした一方、テンプルの少なくとも一方には、傾きを検出するための傾斜検出手段と、警報を発する警報手段と、前記警報手段に電力を供給するための電源部と、警報の有効或いは無効を切り替えるための切換手段とを内包し、前記傾斜検出手段が前記眼鏡の前方が下を向く方向に所定角度傾斜したときに、警報手段から警報を発する点に特徴がある。
【０００９】
また、前記フロントフレームと前記ブローバーとは、フロントフレームの中央部に溝部と開口部を設けて一体に形成したヒンジ部を、ブローバーの軸部に着脱可能にヒンジ連結する構成とすることもできる。
【考案の効果】
【００１０】
本考案では、装着者が居眠り時に頭部が前傾になったことを傾斜検出手段によって検出することで、居眠りしていることを警報によって装着者に報知することができる。また、警報の有効或いは無効を切り換えることによって、警報装置と電源部との接続または非接続を切り換えることができ、警報が鳴らない眼鏡としても使用することができる。
【００１１】
また、居眠り検出のための回路部をテンプルに内包したため、一見して一般的なサングラスや眼鏡と外観上の相違が無く、居眠り検出の必要が無い状況においても外見を気にすることなく使用することができる。
【００１２】
さらに、サングラスや老眼鏡のように、状況によってはレンズが不要である場合においては、ブローバー中央部を支点にフロントフレームを跳ね上げることによって、裸眼の状態とレンズを装着した状態とを瞬時に切り換えることができる。
【００１３】
一方、フロントフレームのヒンジ部をブローバーの軸部に対して押し付け、または引き離すようにすることで、開口部が弾性的に開き、フロントフレームとブローバーを容易に着脱することができ、状況に応じて他のレンズを装着した別のフロントフレームを用いることもできる。  
【図面の簡単な説明】
【００１４】
【図１】本考案の実施例における居眠り防止眼鏡を表す正面図及び平面図である。
【図２】本考案の実施例におけるフロントフレームを表す背面図である。
【図３】本考案の実施例におけるフロントフレームを表す側面図である。
【図４】本考案の実施例におけるフロントフレームの跳ね上げの前後の状態を表す側面図である。
【図５】本考案の実施例におけるテンプルの内面を表す側面図である。
【図６】本考案の実施例における回路部の構成を表す概略回路図である。
【考案を実施するための形態】
【００１５】
本考案の実施例について、図１〜図６に基づいて説明する。なお、本考案はこれらの添付図面に示す態様に限定されるものではない。
【００１６】
本実施例では、図１に示すように、左右一対のテンプル４・４がブローバー３により連結され、そのブローバー３の中央部には、フロントフレーム２をヒンジ部2c・2cによってヒンジ連結された構成としている。また、ブローバー３のヒンジ部2c・2cの連結部下方には、左右一対の鼻当部５・５が取着されている。
【００１７】
フロントフレーム２は、左右一体のレンズ2bがブリッジ部2aに取着されて構成されている。本実施例では、レンズ2bは一体のものとしているが、左右別体のレンズ2b・2bをブリッジ部2aに左右対称に取着する構成としてもよい。
【００１８】
また、レンズ2bは、例えば近視用のレンズだけでなく、老眼用のレンズやサングラス用のレンズとしてもよく、レンズの種類は適宜変更することができる。
【００１９】
ブリッジ部2aの中央部裏面側には、図２に示すように、ブローバー３の軸部3a・3aに対応する位置に２箇所のヒンジ部2c・2cがブリッジ部2aと一体に突出して形成されている。このヒンジ部2c・2cは、図３に示すように、貫通した断面円形の溝部2d・2dを有し、ヒンジ部2c・2cの先端側には、溝部2d・2dの直径よりもやや狭い開口部2e・2eを有している。
【００２０】
このヒンジ部2c・2cは、溝部2d・2dがブローバー３の中央部に有する軸部3a・3aに枢設されることによってヒンジ連結されている。これによって、図４に示すようにフロントフレーム２は、ヒンジ部2c・2cを支点に上方に跳ね上げ可能となっている(図4(b)参照)。
【００２１】
跳ね上げた状態においては、板ばね2fがブローバー３の中央部に適切な反力を与えることで摩擦を生じさせ、跳ね上げたフロントフレーム２が容易に下りないようになっている。したがって、レンズ2bが不要な状況においては、跳ね上げることによってレンズ2bが視界に入ることが無く、レンズ2bを通して視認したいときには直ちに下ろして眼鏡やサングラスとして使用することができる。
【００２２】
ヒンジ連結においては、フロントフレーム２のヒンジ部2c・2cをブローバー３の軸部3a・3aに対して押し付け、または引き離すようにすることで、開口部2e・2eが弾性的に開き、フロントフレーム２とブローバー３を容易に着脱させることができる。これによって、状況に応じて他のレンズを装着した別のフロントフレームを用いることができる。  
【００２３】
一方、テンプル４の内面には、図５に示すように、警報手段6bの開口部が露出し、切換手段6dの操作部が下方向に突出している。本実施例において、警報手段6bは圧電型のブザーであり、切換手段6dはスライドスイッチである。
【００２４】
これらブザーやスイッチを含む回路部６は、図６に示すような構成であり、一枚の基板上(図示せず)に形成されてテンプル４に内包されている。ここで、傾斜検出手段6aはボールスイッチ(所謂傾きスイッチ)であり、電源部6cはボタン電池である。
【００２５】
次に居眠り検出の仕組みを説明する。傾斜検出手段6aは、管内部に導電性のボールが封入されており、傾斜によってボールが転がると、同じく封入されている開いた一対の金属板同士がボールと接触することで導通状態となり、スイッチがＯＮになったのと同等の作用をする。切換手段6dがＯＮの状態において、傾斜検出手段6aが導通状態になると、電源部6cから電力が警報装置6bに供給され、警報を発する仕組みとなっている。
【００２６】
ここで、傾斜検出手段6aは、居眠り防止用眼鏡１の前方が下を向く方向に所定角度傾斜したときに導通状態となるよう、あらかじめ所定の角度を設けてテンプル４に内包する。このときの角度は適宜変更することができる。
【００２７】
また、電源部6cのボタン電池は、本実施例では、テンプル４の蓋部4aを止着しているねじ(図示せず)を外し、テンプル４の下方を開口することで交換することができるようになっている。
【００２８】
本考案は、概ね上記のように構成されるが、本考案は図示の実施形態に限定されるものではなく、「実用新案登録請求の範囲」の記載内において種々の変更が可能であって、例えば、ヒンジ部はフック型の突起部をブローバーに引っ掛ける構成としてもよい。また、傾斜検出手段は、ボールスイッチ以外にも、傾斜センサやリードスイッチを用いてもよく、いずれも本考案の技術的範囲に属する。
【符号の説明】
【００２９】
１  居眠り防止用眼鏡
２  フロントフレーム
2a  ブリッジ部
2b  レンズ
2c  ヒンジ部
2d  溝部
2e  開口部
2f  板ばね
３  ブローバー
3a  軸部
４  テンプル
4a  蓋部
５  鼻当部
６  回路部
6a  傾斜検出手段
6b  警報手段
6c  電源部
6d  切換手段
【図１】
0003227691.tif 000003
【図２】
0003227691.tif 000004
【図３】
0003227691.tif 000005
【図４】
0003227691.tif 000006
【図５】
0003227691.tif 000007
【図６】
0003227691.tif 000008
【手続補正書】
【提出日】令和2年6月11日(2020.6.11)
【手続補正１】
【補正対象書類名】実用新案登録請求の範囲
【補正対象項目名】全文
【補正方法】変更
【補正の内容】
【実用新案登録請求の範囲】
【請求項１】
左右一対のテンプルと、前記テンプルが連結されたブローバーと、前記ブローバー中央部でヒンジ連結され、かつ、左右レンズが装着されたフロントフレームとを含んで成る眼鏡であって、
前記フロントフレームがブローバー中央部を支点に上下に跳ね上げ可能である一方、
テンプルの少なくとも一方には、傾きを検出するための傾斜検出手段と、警報を発する警報手段と、前記警報手段に電力を供給するための電源部と、警報の有効或いは無効を切り換えるための切換手段とが内包され、
前記傾斜検出手段が前記眼鏡の前方が下を向く方向に所定角度傾斜したときに、警報手段から警報を発することを特徴とする、居眠り防止用眼鏡。
【請求項２】
前記フロントフレームと前記ブローバーとは、フロントフレームの中央部に溝部と開口部を設けて一体に形成されたヒンジ部が、ブローバーの軸部に着脱可能にヒンジ連結されていることを特徴とする、請求項１に記載の居眠り防止用眼鏡。
【手続補正２】
【補正対象書類名】明細書
【補正対象項目名】０００８
【補正方法】変更
【補正の内容】
【０００８】
即ち、本考案は、左右一対のテンプルと、前記テンプルが連結されたブローバーと、前記ブローバー中央部でヒンジ連結し、かつ、左右レンズが装着されたフロントフレームとを含んで成る眼鏡において、前記フロントフレームがブローバー中央部を支点に上下に跳ね上げ可能とした一方、テンプルの少なくとも一方には、傾きを検出するための傾斜検出手段と、警報を発する警報手段と、前記警報手段に電力を供給するための電源部と、警報の有効或いは無効を切り替えるための切換手段とを内包し、前記傾斜検出手段が前記眼鏡の前方が下を向く方向に所定角度傾斜したときに、警報手段から警報を発する点に特徴がある。